(57)【要約】【課題】指針を用いずに表示板に予め付された自動車の物理量に対応した大きさの目盛を、該物理量に応じて指し示すように、指示板上の所定の部位を発光させることで、安価で且つ意匠性が向上する新規な自動車用メータ表示装置を提供する。【解決手段】物理量の大きさに対応して回転する回転体２と、この回転体２と一体に回転する光源３と、目盛Ｐとこれに対応した数値Ｎとの複数の対がそれぞれ所定の位置に付され、この光源３から発せられる光によって所定部位が発光するプリズム様の指示板４とを備え、該物理量の大きさに対応した指示板４の所定の部位が発光することで、車輌の物理状態を指し示すようにした。【選択図】図１
2008309726.tif 000002
【特許請求の範囲】
【請求項１】
目盛とこの目盛に対応した数値とから成る複数の対が付される表示板を有し、上記数値が車輌の一物理状態を示す物理量であって、この物理量で測られる車輌の物理状態を、上記目盛に対応してその大きさを指し示すように構成される自動車用のメータ表示装置であって、
上記物理量の大きさに対応した角度だけ回転する回転体と、この回転体と一体に回転する光源と、この光源から発せられる光によって発光する指示板とを備え、
上記指示板は、その板面の中央部から板面端部に向かって放射状に形成される透明素材と不透明素材とをそれぞれ複数交互に設けると共に、該中央部に上記光源を回転可能に配設するための該指示板の裏面側から凹設される発光室を備え、
上記発光室内において上記光源から発せられる光が、上記透明素材のうち上記光源と対向するものに対して上記発光室の内周面から入射し、その入射光が該透明素材を挟む上記不透明素材の表面等で反射して上記指示板の所定の表面部位から放射され、該表面部位が発光することで、上記物理量の大きさを指示することを特徴とする、自動車用メータ表示装置。
【請求項２】
前記指示板を成す放射状に形成される前記透明素材部分が、該指示板の中央部から外端に向かって裏面側が傾斜してその厚さが薄くなるように形成されることを特徴とする、請求項１に記載の自動車用メータ表示装置。
【請求項３】
前記指示板は、裏面側が前記不透明素材より構成されることを特徴とする、請求項１又は２に記載の自動車用メータ表示装置。
【請求項４】
前記発光室は、その内周面以外の面が不透明素材より構成されることを特徴とする、請求項１乃至３の何れかに記載の自動車用メータ表示装置。
【請求項５】
前記指示板の表面は、スモーク印刷されてなることを特徴とする、請求項１乃至４の何れかに記載の自動車用メータ表示装置。
【発明の詳細な説明】
【技術分野】
【０００１】
本発明は、自動車用の速度やエンジンの回転数、或いは燃料の残量等の物理状態を指示するためのメータ表示装置に関するものである。
【背景技術】
【０００２】
従来の自動車用の各種物理量を指示するためのメータ表示装置は、目盛とそれに対応した数値とから成る複数の対がそれぞれ所定の位置に付された表示板と、該物理量の大きさに対応して所定の目盛を指し示す指針とを備えている。指針や目盛や数値は、トンネル内や夜間においても目視できるように発光させる必要があり、従来のメータ表示装置では、表示板の裏面側から光源によって照らして発光させている。このような構成の従来の自動車用メータ表示装置１０１を図４及び図５に示す。
【０００３】
図４に示すように、表示板１０４には、目盛Ｐ’と数値Ｎ’との複数の対が、それぞれ仮想の等円上に適宜の間隔をもって表示されている。指針１１８は、スモークガラス製であり、図４のＢ−Ｂ断面を示す図５に表れているように、表示板１０４とほぼ平行の指針部１１９と、指針部１１９の基端部から垂下して成る垂直部１２０とから成っている。
【０００４】
この指針１１８は、前記仮想円のほぼ中心位置に配設される円柱状の回転体１０２と一体となって回転するよう、垂直部１２０が回転体１０２に対して平行に、回転体１０２の外周面に、バランサ１２１を内蔵して成るキャップ１２２を介して固設されている。この回転体１０２は、表示板１０４の前記仮想円の中心部に貫穿される円孔１０６に対して、表示板１０４の表裏に亘って挿通され、指針１１８の垂直部１２０の下端は表示板１０４の裏面側に延出している。
【０００５】
表示板１０４の裏面側の定点には光源１０３が配設され、スイッチをＯＮにすることで発光させることができるようになっており、その際、スモークガラス製の指針１１８の下端から光が入射して、指針１１８全体を通って指針１１８外部に放射することで指針１１８が発光するようになっている。
【発明の開示】
【発明が解決しようとする課題】
【０００６】
しかしながら、このような構成で指針１１８を発光させるためには、指針をオプチトロン化、すなわち光学媒体とする必要があり、そのためにスモークガラスを必要とし、高コスト化の要因となっている。また、指針１１８は、オプチトロン化されているため、透明な素材と異なり、その長さを長くすると先端まで光が届かず、基端部に比べて先端部分が暗くなってしまう。このため、指針１１８全体をほぼ均一に発光させるのに、指針１１８の長さを一定長以下に設定する必要があった。
【０００７】
また、回転体１０２や指針１１８の垂直部１２０が挿通されている表示板１０４の円孔１０６は、回転体１０２の外周面に指針１１８の垂直部１２０が配設されている分だけ半径を余計にとらなければならず、その分だけ隙間が大きくなる。この円孔１０６は、回転体１０２に指針１１８を固設するためのキャップ１２２で覆われてはいるものの、キャップ１２２下端周囲の隙間から光が漏れてしまう。このため、キャップ１２２下端周囲からの光漏れ対策が必要となっていた。そして、このキャップ１２２の半径は、円孔が露呈したり光が漏れることを防ぐために大きめに設定しなければならず、意匠性を向上させる妨げとなっていた。
【０００８】
更に、光源１０３が表示板１０４裏面側の定点に配設され、指針１１８の垂直部１２０が回転体１０２に配設されているので、光源１０３と、指針１１８を発光させるための指針１１８に対する光の進入部である指針１１８の垂直部１２０の下端との間の距離が、回転体１０２の回転角によって変動するために、指針１１８の輝度を一定にすることができないという問題があった。
【０００９】
本発明は、上記問題点に鑑みて創作されたものであり、高コスト化や光漏れ或いは、意匠上の制約等の要因となる指針を用いずに、表示板に予め付された自動車の物理量に対応した大きさの目盛を、自動車の物理量に応じて指し示すように、指示板上の指示部位を発光させることによって、安価で且つ意匠性を向上させることができる新規な自動車用メータ表示装置を提供することを目的とする。
【課題を解決するための手段】
【００１０】
上記目的を達成するために、本発明の自動車用メータ表示装置では、目盛と、この目盛に対応した数値とから成る複数の対が、それぞれ所定の位置に付されて成る表示板を有し、この数値が車輌の一物理状態を示す物理量であって、この物理量で測られる車輌の物理状態を、この目盛に対応してその大きさを指示すように構成される。
【００１１】
物理量の大きさを示す指示手段は、その物理量の大きさに対応した角度で回転する回転体と、この回転体と一体に回転する光源と、この光源から発せられる光によって所定部位が発光するプリズム様の指示板とを備える。
【００１２】
回転体は、複数の目盛と数値との対が表示される該表示板を平面視した際のそれらの対の略中心位置に、回転体の回転軸方向が表示板の板面に対してほぼ垂直に配設される。
光源は、この光源から発せられる光の進行方向が回転軸方向に対して所定の角度傾斜するように該回転体に固設される。
指示板は、その板面の中央部から板面端部に向かって放射状に形成される透明素材と不透明素材とが互いに密接して交互に介在して構成され、該中央部に裏面側から凹設され、光源が回転可能に配設される発光室を備える。指示板は、好ましくは、透明素材と不透明素材とを二色成型することによって形成する。
【００１３】
そして、発光室内において適宜の方向を向いた光源から発せられる光が、指示板を構成する所定の部位の透明素材に対して発光室の内周面から入射し、その入射光が透明素材を挟む上記不透明素材表面等で反射して指示板の所定の表面部位から放射され、該表面部位が発光することで、物理量の大きさを指示するように構成されることを特徴としている。
なお、表示板は、目盛と数値とから成る対が付されて成るが、これら目盛と数値とから成る対を指示板に付することで、この指示板を表示板として用いてもよいことは言うまでもない。
【００１４】
指示板を成す放射状に形成される透明素材部分は、好ましくは、指示板の中央部から外端に向かって裏面側が傾斜してその厚さが薄くなるように形成される。
【００１５】
指示板は、裏面側が不透明素材によって構成される。また、発光室は、その内周面以外の面が不透明素材より構成されることが好ましい。
【００１６】
指示板の表面は、スモーク印刷されていれば好ましい。
【発明の効果】
【００１７】
本発明の自動車用メータ表示装置は、透明素材と不透明素材とを二色成型してなるプリズム様の指示板に、所定の物理量の大きさに対応して回動する光源からの光を入射させ、指示板の所定の部位が発光するようにすると共に、指示板の表面にスモーク印刷を施して構成したことによって、指示板を簡易にオプチトロン化することが可能であり、高コスト化の要因であったスモークガラスを不要とすると共に、指針自体を不要とすることができ、低コスト化することができるという効果を奏する。
【００１８】
また、物理量の大きさの指示を、指示板を構成する透明素材部分に光を通過させて、その表面から光を放射させて行なうことにより、発光領域を長くしてもほぼ一様に発光させることができるという効果がある。
【００１９】
更に、指針を不要とすることから従来の指針の基端部に配設されていたキャップ等も無くすことができ、指示板部分の意匠自由度を向上させることが可能であり、今までに無い見栄えを実現できる。
【発明を実施するための最良の形態】
【００２０】
以下、本発明の好ましい実施の形態を、図１乃至図３を参照しながら詳細に説明する。本実施形態の自動車用メータ表示装置１は、車輌の一物理状態を示す物理量で測られる車輌の物理状態を、物理量の大きさを指示することで表示するものである。この自動車用メータ表示装置１は、図２に示すように、前記物理量の大きさに対応した角度だけ回転する回転体２と、この回転体２と一体に回転する光源３と、この光源３から発せられる光によって所定部位が発光するプリズム様の指示板４とを備える。
【００２１】
指示板４は、図１に示すように、平面略円形状を成し、その表面に目盛Ｐと目盛Ｐに対応した数値Ｎとの複数の対が適宜の間隔を存して円弧状に付されて成る。より詳細には、目盛Ｐと数値Ｎとから成る各対は、指示板４の板面のほぼ中央の点Ｃを中心とする適当な一半径の仮想的な同円上において、互いにほぼ一定の間隔を存して付される。勿論、ここで言う数値Ｎとは、速度やエンジン回転数等、車輌の一物理状態を示す物理量の大きさを表すものである。
【００２２】
指示板４は、平面略円形の板状に形成され、光源３から発せられた光が通過して表面側の発光領域Ｒから放射されるように構成されるプリズム様の特性を備えた部材である。図１のＡ−Ａ線断面を示す図２において、この指示板４の表面側は平坦になっており、目盛Ｐと数値Ｎから成る各対が付される部分以外には、スモーク印刷５が施される。指示板４の裏面側は、指示板４裏面側の板面の中央から端部にかけて傾斜し、外方に向かってその板厚が薄くなるように形成される。即ち、指示板４の全体としての外形は、板状に広がった略逆円錐形を成すものである。裏面側の中央部には、裏面側から指示板４を貫通しない程度の所定の深さに凹設されて成る発光室６を備えている。
【００２３】
この発光室６は、指示板４の裏面側の開口部７から天井面８にかけて徐々に半径が小さくなるように形成される円錐型の内周面９と、平坦な天井面８によって囲繞されるスペースであり、光源３が回転可能に配設し得る容積を有する。指示板４の縦断面における発光室６の内周面９が成す傾斜した端辺は、後述の発光部１０が向き合った際に発光部１０の先端部とほぼ平行となるように構成される。
【００２４】
指示板４は、透明素材１１と不透明素材１２とを用いて所定の構造になるように２色成型することで形成される。図３は、この２色成型によって形成される構造を端的に示すものであり、図２における発光部１０の位置から発光部１０が対面する発光室６の内周面９を見た状態を示すものである。この図３に示すように、透明素材１１より成る部分と不透明素材１２より成る部分は、それぞれ指示板４の板面の中央から板面の端部に向かって放射状に形成される複数の条部を備えて成り、それら透明素材１１よりなる条部と不透明素材１２より成る条部とが交互に密接して介在して、全体として板状を成すように構成される。なお、不透明素材１２としては、白色の材料を採用することがコスト的にも光の反射効率からも好ましい。
【００２５】
不透明素材１２より成る各条部の横断面形状は、表面側から裏面側にかけて徐々に幅が広がる台形状を成し、逆に透明素材１１より成る各条部の横断面形状は、表面側から裏面側にかけて徐々に幅が狭くなる台形状を成しており、指示板４の裏面側は不透明素材１２による外層１５が形成され、裏面側に光が漏れず且つ表面側によく光が反射するようになっている。外層１５は、透明素材１１よりなる条部における、発光領域Ｒの先端に対応する位置に突起部１３を有している。この突起部１３により、透明素材１１でなる条部の端を規定する。
【００２６】
回転体２は、円柱状の細身の部材であり、その一端が、所定の物理量の大きさに対応して駆動する駆動源に連結され、物理量の大きさに対応して所定の向きに所定の角度回転するように構成される。回転体２は、指示板４の板面のほぼ中央の点Ｃの裏面側の所定の位置に、回転体２の回転軸Ｓが指示板４に対してほぼ垂直になるように配設される。
【００２７】
光源３は、ＬＥＤを用いて発光するように構成される発光部１０と、発光部１０を回転体２の上端に固設する支持部１６と、発光部１０から発せられた光が、所定の向きにのみ放射されるように発光部１０及び支持部１６を覆う外装部材１７とから構成される。この光源３は、発光部１０から発せられる光の進行方向が、回転軸Ｓ方向に対して所定の角度傾斜するように、発光部１０と支持部１６とが所要の形状に一体的に形成される。このように構成される光源３は、その回転軸Ｓが指示板４の中央の点Ｃを通って、指示板４の表面側の板面に対して垂直になるように、指示板４に形成される発光室６内に回転可能に配設される。
【００２８】
以上のように構成される本実施態様の自動車用メータ表示装置１は、発光室６内において適宜の方向を向いた光源から発せられる光が、指示板４を構成する所定の部位の透明素材１１に対して、発光室６の内周面９から入射し、その入射光が透明素材１１を囲む不透明素材１２表面で反射して指示板４の発光領域Ｒから放射される。この光が放射される表面部位は、目盛Ｐと数値Ｎとから成る所定の対を指し示すように、指示板４の板面の中央の点Ｃの付近から板面の外端に向かって所定の幅で延びる平面略長方形の発光領域Ｒである。発光領域Ｒにおける発光室６と反対側の端部には前述のように突起部１３が設けられており、これにより発光領域Ｒより成る指針の先端が規定される。
【００２９】
以上のように、本実施態様の自動車用メータ表示装置１は、車輌の物理状態を表す所定の物理量の大きさに対応した所定の発光領域Ｒが発光することで、発光領域Ｒの外端の付近に付されている目盛Ｐと数値Ｎの対を指し示し、車輌の物理量に対応する所定の物理量の大きさを表示するように構成されるものであって、その主旨を逸脱しない範囲において様々な形態で実施することができる。
【図面の簡単な説明】
【００３０】
【図１】本実施態様の自動車用メータ表示装置の平面図である。
【図２】図１におけるＡ−Ａ断面図である。
【図３】図２における発光部から対向する発光室の内周面を見た二色成型の様子を示す図である。
【図４】従来の自動車用メータ表示装置の平面図である。
【図５】図４におけるＢ−Ｂ断面図である。
【符号の説明】
【００３１】
１  自動車用メータ表示装置
２  回転体
３  光源
４  指示板
５  スモーク印刷
６  発光室
７  開口部
８  天井面
９  内周面
１０  発光部
１１  透明素材
１２  不透明素材
１３  突起部
１５  外層
１６  支持部
１７  外装部材
１０１  従来の自動車用メータ表示装置
１０２  回転体
１０３  光源
１０４  表示板
１０６  円孔
１１８  指針
１１９  指針部
１２０  垂直部
１２１  バランサ
１２２  キャップ
Ｃ  指示板の中央の点
Ｎ  数値
Ｎ’  数値
Ｐ  目盛
Ｐ’  目盛
Ｒ  発光領域
Ｓ  回転軸
【図３】
2008309726.tif 000003
【図１】
2008309726.tif 000004
【図２】
2008309726.tif 000005
【図４】
2008309726.tif 000006
【図５】
2008309726.tif 000007